(57)【特許請求の範囲】
【請求項１】
長手方向と幅方向と厚さ方向とを有し、前記長手方向に関して腹側部と股下部と背側部とを並んで有する本体部が、液透過性の表面シートと、液不透過性の裏面シートと、吸収性コアを有する吸収性物品であって、
前記本体部における前記長手方向の端部は、胴回り開口部を構成するとともに、前記端部には前記幅方向に沿って胴回り弾性部材が設けられており、
前記本体部における前記長手方向の背側端部よりも内側の部分には、前記吸収性コアが存在しているとともに、前記本体部において前記胴回り弾性部材と前記吸収性コアとの間の部分は、前記胴回り弾性部材及び前記吸収性コアが存在しない非存在部分とされており、
前記本体部には幅方向に離間した一対の第１立体ギャザーが前記長手方向に沿って設けられており、
前記第１立体ギャザーよりも幅方向外側に一対の第２立体ギャザーが前記長手方向に沿って設けられており、
前記第１立体ギャザーは、第１弾性部材を前記長手方向に配置し、起立不能な第１基端部と、前記第１基端部を支点として前記厚さ方向の肌側に起立可能な第１起立部とを前記幅方向に並んで有し、
前記第２立体ギャザーは、第２弾性部材を前記長手方向に配置し、起立不能な第２基端部と、前記第２基端部を支点として前記厚さ方向の肌側に起立可能な第２起立部とを前記幅方向に並んで有し、
前記第１起立部のうちの前記背側端部には、前記第１立体ギャザーを前記本体部に重ねた状態で固定する第１固定部が形成されており、
前記第２起立部のうちの前記背側端部には、前記第２立体ギャザーを前記本体部に重ねた状態で固定する第２固定部が形成されており、
前記第１固定部と前記胴回り弾性部材の伸縮領域とが重なり、前記第１固定部は前記吸収性コアよりも前記長手方向において外側に存在し、
前記第２固定部は前記第１固定部を挟んで前記胴回り弾性部材の伸縮領域とは前記幅方向に離間しており、
前記胴回り弾性部材は、前記幅方向に沿う複数の糸状弾性部材を含み、
前記第１固定部のうち前記長手方向の最も内側にある固定端は前記非存在部分に位置し、
前記第１固定部は、前記長手方向の最も内側の糸状弾性部材と最も外側の糸状弾性部材とに挟まれている領域全体にわたって設けられていることを特徴とする吸収性物品。
【請求項２】
請求項１に記載の吸収性物品であって、
前記第２固定部は、前記吸収性コアよりも前記長手方向において外側に存在することを特徴とする吸収性物品。
【請求項３】
請求項１又は２に記載の吸収性物品であって、
前記吸収性コアにおける前記長手方向の端縁部の形状は、前記幅方向の中央側の部分の方が前記幅方向の端側の部分よりも前記長手方向の外側へ突出した湾曲形状であることを特徴とする吸収性物品。
【請求項４】
請求項１乃至請求項３のいずれかに記載の吸収性物品であって、
少なくとも前記吸収性コアの前記幅方向の中央領域は、前記吸収性コアのそれ以外の領域よりも低目付に形成されていることを特徴とする吸収性物品。
【請求項５】
請求項１乃至請求項４のいずれかに記載の吸収性物品であって、
前記背側端部には、前記長手方向の最も外側の糸状弾性部材よりも外側に位置し、前記糸状弾性部材の収縮に伴って収縮する領域であって、隣り合う前記糸状弾性部材間の間隔よりも前記長手方向に長い収縮領域が形成されていることを特徴とする吸収性物品。
【請求項６】
請求項５に記載の吸収性物品であって、
前記収縮領域の前記長手方向長さは、前記最も外側の糸状弾性部材と前記最も内側の糸状弾性部材とに挟まれる領域の前記長手方向の長さの半分よりも長いことを特徴とする吸収性物品。
【請求項７】
長手方向と幅方向と厚さ方向とを有し、前記長手方向に関して腹側部と股下部と背側部とを並んで有する本体部が、液透過性の表面シートと、液不透過性の裏面シートと、吸収性コアを有する吸収性物品であって、
前記本体部における前記長手方向の端部は、胴回り開口部を構成するとともに、前記端部には前記幅方向に沿って胴回り弾性部材が設けられており、
前記本体部における前記長手方向の背側端部よりも内側の部分には、前記吸収性コアが存在しているとともに、前記本体部において前記胴回り弾性部材と前記吸収性コアとの間の部分は、前記胴回り弾性部材及び前記吸収性コアが存在しない非存在部分とされており、
前記本体部には幅方向に離間した一対の第１立体ギャザーが前記長手方向に沿って設けられており、
前記第１立体ギャザーよりも幅方向外側に一対の第２立体ギャザーが前記長手方向に沿って設けられており、
前記第１立体ギャザーは、第１弾性部材を前記長手方向に配置し、起立不能な第１基端部と、前記第１基端部を支点として前記厚さ方向の肌側に起立可能な第１起立部とを前記幅方向に並んで有し、
前記第２立体ギャザーは、第２弾性部材を前記長手方向に配置し、起立不能な第２基端部と、前記第２基端部を支点として前記厚さ方向の肌側に起立可能な第２起立部とを前記幅方向に並んで有し、
前記第１起立部のうちの前記背側端部には、前記第１立体ギャザーを前記本体部に重ねた状態で固定する第１固定部が形成されており、
前記第２起立部のうちの前記背側端部には、前記第２立体ギャザーを前記本体部に重ねた状態で固定する第２固定部が形成されており、
前記第１固定部と前記胴回り弾性部材の伸縮領域とが重なり、前記第１固定部は前記吸収性コアよりも前記長手方向において外側に存在し、
前記第２固定部は前記第１固定部を挟んで前記胴回り弾性部材の伸縮領域とは前記幅方向に離間しており、
前記本体部の背側には、前記本体部から前記幅方向外側に延出する背側サイドフラップが形成されており、前記背側サイドフラップの前記幅方向両側には一対のファスニングテープが設けられており、一対の前記ファスニングテープは、前記吸収性物品の着用時において前記腹側部と係合する係合部をそれぞれ有し、
前記係合部の前記幅方向の所定の位置における前記長手方向中央の位置を中央位置とした場合に、一対の前記係合部の前記中央位置同士を前記幅方向に沿って結ぶ中央線が、前記吸収性物品の前記幅方向の中央部において前記非存在部分を通過することを特徴とする吸収性物品。
【請求項８】
請求項１乃至請求項７のいずれかに記載の吸収性物品であって、
前記吸収性物品を前記長手方向に折り畳む際の基点となる折り目を前記幅方向に沿って複数有し、
複数の前記折り目が形成される領域のひとつは、前記非存在部分を通過することを特徴とする吸収性物品。
【発明の詳細な説明】
【技術分野】
【０００１】
本発明は、尿等の排泄液を吸収する使い捨ておむつ等の吸収性物品に関する。
【背景技術】
【０００２】
使い捨ておむつとしては、例えば特許文献１に記載のものが存在する。特許文献の使い捨ておむつは、胴回り弾性部材３０と第１防漏シート３３と第２防漏シート３４を備える。そして、胴回り用弾性部材３０は、第１防漏シート３３の第１固定後端部３８と第２防漏れシート３４の第２固定後端部４３の両者に重なる構成を有している。
【先行技術文献】
【特許文献】
【０００３】
【特許文献１】特開２００６−２４７２７３号
【発明の概要】
【発明が解決しようとする課題】
【０００４】
特許文献１に開示されるように、胴回り用弾性部材３０が第１固定後端部３８および第２固定後端部４３の両者に重なる構成としたならば、胴回り用弾性部材３０の収縮力と第１防漏シート３３の伸縮性弾性部材３９のみならず、胴回り用弾性部材３０の収縮力と第２防漏シート３４の伸縮性弾性部材４４の収縮力も連動してしまい、第２固定後端部４３までもが収縮してしまう。第２固定後端部４３までも収縮してしまうと、皺の発生する部分も広すぎることになり、その皺の影響により幅方向の中央を見定めにくくなり、使い捨ておむつ等の吸収性物品と着用者の体との位置合わせが困難となる。よって、吸収性物品の幅方向の中央をより見定めやすくすることが望まれる。
【０００５】
本発明は、上記のような従来の問題に鑑みてなされたものであって、その目的は、吸収性物品の幅方向の中央をより見定めやすくすることにある。
【課題を解決するための手段】
【０００６】
上記目的を達成するための主たる発明は、
長手方向と幅方向と厚さ方向とを有し、前記長手方向に関して腹側部と股下部と背側部とを並んで有する本体部が、液透過性の表面シートと、液不透過性の裏面シートと、吸収性コアを有する吸収性物品であって、
前記本体部における前記長手方向の端部は、胴回り開口部を構成するとともに、前記端部には前記幅方向に沿って胴回り弾性部材が設けられており、
前記本体部における前記長手方向の背側端部よりも内側の部分には、前記吸収性コアが存在しているとともに、前記本体部において前記胴回り弾性部材と前記吸収性コアとの間の部分は、前記胴回り弾性部材及び前記吸収性コアが存在しない非存在部分とされており、
前記本体部には幅方向に離間した一対の第１立体ギャザーが前記長手方向に沿って設けられており、
前記第１立体ギャザーよりも幅方向外側に一対の第２立体ギャザーが前記長手方向に沿って設けられており、
前記第１立体ギャザーは、第１弾性部材を前記長手方向に配置し、起立不能な第１基端部と、前記第１基端部を支点として前記厚さ方向の肌側に起立可能な第１起立部とを前記幅方向に並んで有し、
前記第２立体ギャザーは、第２弾性部材を前記長手方向に配置し、起立不能な第２基端部と、前記第２基端部を支点として前記厚さ方向の肌側に起立可能な第２起立部とを前記幅方向に並んで有し、
前記第１起立部のうちの前記背側端部には、前記第１立体ギャザーを前記本体部に重ねた状態で固定する第１固定部が形成されており、
前記第２起立部のうちの前記背側端部には、前記第２立体ギャザーを前記本体部に重ねた状態で固定する第２固定部が形成されており、
前記第１固定部と前記胴回り弾性部材の伸縮領域とが重なり、前記第１固定部は前記吸収性コアよりも前記長手方向において外側に存在し、
前記第２固定部は前記第１固定部を挟んで前記胴回り弾性部材の伸縮領域とは前記幅方向に離間しており、
前記胴回り弾性部材は、前記幅方向に沿う複数の糸状弾性部材を含み、
前記第１固定部のうち前記長手方向の最も内側にある固定端は前記非存在部分に位置し、
前記第１固定部は、前記長手方向の最も内側の糸状弾性部材と最も外側の糸状弾性部材とに挟まれている領域全体にわたって設けられていることを特徴とする吸収性物品である。
【０００７】
本発明の他の特徴については、本明細書及び添付図面の記載により明らかにする。
【発明の効果】
【０００８】
本発明によれば、第２固定部において幅方向の収縮が生じにくい領域を設けることができる。収縮が生じにくい領域は素材がほぼ延びており、この領域より幅方向に外側においては皺が形成されにくい。よって、左右両側のこれらの領域を基準として、幅方向の中央をより見定めやすくすることができる。
【図面の簡単な説明】
【０００９】
【図１】実施形態に係る吸収性物品としての使い捨ておむつ１の展開状態の概略平面図である。
【図２】図２Ａ、図２Ｂ、及び図２Ｃは、それぞれ、図１中のＡ−Ａ断面図、Ｂ−Ｂ断面図、及びＣ−Ｃ断面図である。
【図３】装着状態の使い捨ておむつ１の概略斜視図である。
【図４】実施形態に係る使い捨ておむつ１の背側部１ｂを拡大して示す概略平面図である。
【図５】立体ギャザー４１ｇ１の収縮力に基づいて本体部１ｋにポケット状の空間ＳＰが形成される様子を示す概略断面図である。
【図６】実施形態に係る使い捨ておむつ１の自然状態における背側部１ｂを拡大して示す概略平面図である。
【図７】その他の実施形態に係る使い捨ておむつ１の背側部１ｂを拡大して示す概略平面図である。
【図８】その他の実施形態に係る使い捨ておむつ１の背側部１ｂを拡大して示す概略平面図である。
【図９】その他の実施形態に係る使い捨ておむつ１の背側部１ｂを拡大して示す概略平面図である。
【図１０】ファスニングテープ６１のオス材６１ｍ（係合部）と、非存在部分１ｋｂｎとの位置関係について説明する図である。
【図１１】使い捨ておむつ１の展開状体の概略平面図である。
【図１２】３つ折りに折り畳んだ状態のおむつ１の長手方向断面図である。
【発明を実施するための形態】
【００１０】
本明細書及び添付図面の記載により、少なくとも以下の事項が明らかとなる。
長手方向と幅方向と厚さ方向とを有し、前記長手方向に関して腹側部と股下部と背側部とを並んで有する本体部が、液透過性の表面シートと、液不透過性の裏面シートと、吸収性コアを有する吸収性物品であって、
前記本体部における前記長手方向の端部は、胴回り開口部を構成するとともに、前記端部には前記幅方向に沿って胴回り弾性部材が設けられており、
前記本体部における前記長手方向の背側端部よりも内側の部分には、前記吸収性コアが存在しているとともに、前記本体部において前記胴回り弾性部材と前記吸収性コアとの間の部分は、前記胴回り弾性部材及び前記吸収性コアが存在しない非存在部分とされており、
前記本体部には幅方向に離間した一対の第１立体ギャザーが前記長手方向に沿って設けられており、
前記第１立体ギャザーよりも幅方向外側に一対の第２立体ギャザーが前記長手方向に沿って設けられており、
前記第１立体ギャザーは、第１弾性部材を前記長手方向に配置し、起立不能な第１基端部と、前記第１基端部を支点として前記厚さ方向の肌側に起立可能な第１起立部とを前記幅方向に並んで有し、
前記第２立体ギャザーは、第２弾性部材を前記長手方向に配置し、起立不能な第２基端部と、前記第２基端部を支点として前記厚さ方向の肌側に起立可能な第２起立部とを前記幅方向に並んで有し、
前記第１起立部のうちの前記背側端部には、前記第１立体ギャザーを前記本体部に重ねた状態で固定する第１固定部が形成されており、
前記第２起立部のうちの前記背側端部には、前記第２立体ギャザーを前記本体部に重ねた状態で固定する第２固定部が形成されており、
前記第１固定部と前記胴回り弾性部材の伸縮領域とが重なり、前記第１固定部は前記吸収性コアよりも前記長手方向において外側に存在し、
前記第２固定部は前記第１固定部を挟んで前記胴回り弾性部材の伸縮領域とは前記幅方向に離間していることを特徴とする吸収性物品である。
【００１１】
このような構成によれば、胴回り弾性部材の伸縮領域と第１立体ギャザーが重なっていることで胴回り弾性部材７１の伸縮領域における収縮力と第１弾性部材による収縮力とが第１固定部で連動し、胴回り弾性部材と第１弾性部材とが連続的に収縮する。一方、第２固定部は第１固定部を挟んで胴回り弾性部材の伸縮領域とは幅方向に離間しているので、胴回り弾性部材の収縮力と第２弾性部材の収縮力とは連動しない。
仮に、第２立体ギャザーの第２固定部が胴回り弾性部材の伸縮領域と重なっているとすれば、胴回り弾性部材の収縮力と第２弾性部材による収縮力も連動してしまい、第２固定部までもが収縮してしまう。そうすると、胴回り弾性部材の伸縮領域と第１固定部のみならず、第２固定部も幅方向に収縮する上、背側端部全体が長手方向内側に引っ張られることになるため、寝姿勢で吸収性物品を装着する際に背側端部に皺が形成されたり、フラップが幅方向内側に引っ張られて使用者の体の下に入りこんでしまい、装着性が低下してしまう。
これに対し、上記構成においては前述のように、胴回り弾性部材の収縮力と第２弾性部材の収縮力とは連動しない。よって、第２固定部において幅方向の収縮が生じにくい領域を設けることができる。収縮が生じにくい領域は素材がほぼ延びており、この領域より幅方向に外側においては皺が形成されにくく、さらに、背側の中央域のみ第１弾性部材の収縮力によって長手方向内側に沈み込む形となるため、左右両側のこれらの領域を基準として、幅方向の中央をより見定めやすくすることができる。また、フラップが体の下に入り込みにくく、幅方向外側に引っ張りやすくなるため、使用者の体の下で形成された皺やたくれを伸ばして製品を装着することができるので、体へのフィット性も向上する。また、皺やたくれが伸びることで補助吸収としての吸収性パッドを併用する際にパッドを挿入しやすくなる。
【００１２】
かかる吸収性物品であって、
前記第２固定部は、前記吸収性コアよりも前記長手方向において外側に存在することが望ましい。
【００１３】
このような吸収性物品によれば、第２固定部が吸収性コアよりも長手方向において外側に存在することから、第２固定部を長手方向の端部寄りに形成することができる。前述のように、第２固定部においては、幅方向の収縮が生じにくい領域を設けることができ、幅方向の収縮が生じにくい領域を長手方向の端部寄りに設けることにより、幅方向の中央を見定めやすくすることができる。さらに、第１立体ギャザーの収縮力により胴回り弾性部材が引っ張られる一方で、剛性ある胴回り弾性部材の伸縮領域は面形状を維持するため、縦断面がＺ形状になり非存在部分にポケット状の空間が形成されるが、当該構成によりポケット状の空間をさらに大きくすることができるので、背側の漏れを防止することができる。
【００１４】
かかる吸収性物品であって、
前記吸収性コアにおける前記長手方向の端縁部の形状は、前記幅方向の中央側の部分の方が前記幅方向の端側の部分よりも前記長手方向の外側へ突出した湾曲形状であることが望ましい。
【００１５】
このような吸収性物品によれば、吸収性コアにおける長手方向の端縁部の形状が、幅方向の中央側の部分の方が幅方向の端側の部分よりも長手方向の外側へ突出した湾曲形状であるので、胴回り弾性部材の収縮力と第１弾性部材の収縮力とが連動することで、胴回り弾性部材と第１起立部は湾曲形状に沿って収縮する。よって、湾曲形状に沿って収縮した形状を基準として幅方向の中央部を見定めやすくなる。また、第１立体ギャザーの第１固定部と第１起立部の境界付近に形成される第１立体ギャザーと表面シートの間の空間が、吸収性コアの厚みがない分大きくできるので、ポケット状の空間を大きくすることができ、漏れを低減できる上、吸収性パッドを挿入しやすい。
【００１６】
かかる吸収性物品であって、
少なくとも前記吸収性コアの前記幅方向の中央領域は、前記吸収性コアのそれ以外の領域よりも低目付に形成されていることが望ましい。
【００１７】
このような吸収性物品によれば、吸収性コアの幅方向の中央領域を低目付に形成することにより当該領域を使い捨ておむつ（吸収性パッド）の着用時の目印とするとともに、パッドの収まりをよくすることができる。よって、使い捨ておむつの幅方向の中心と使用者の体の中心（或いは吸収性パッドの幅方向の中心）との位置合わせがより容易となる。
【００１８】
かかる吸収性物品であって、
前記胴回り弾性部材は、前記幅方向に沿う複数の糸状弾性部材を含み、
前記第１固定部のうち前記長手方向の最も内側にある固定端は前記非存在部分に位置し、
前記第１固定部の少なくとも一部は、前記複数の糸状弾性部材のうち、前記長手方向の最も内側の糸状弾性部材と最も外側の糸状弾性部材とに挟まれている領域に設けられていることが望ましい。
【００１９】
このような吸収性物品によれば、固定部の少なくとも一部を長手方向の最も内側の糸状弾性部材と最も外側の糸状弾性部材とに挟まれている領域に設けることにより、自然状態において、起立部に作用する長手方向の収縮力に基づいて複数の糸状弾性部材が内側に引き寄せられる。よって、背側の端部は円弧に近い形状（Ｒ状）に形成される。また、固定端が非存在部分に位置することにより、自然状態において、起立部に作用する長手方向の収縮力に基づいて他の領域よりも剛性の低い非存在部分が内側に引き寄せられる。この内側に引き寄せられた非存在部分と背側の部分とが相俟って、より円弧に近い形状（Ｒ状）が形成される。このように、背側の端部近傍（背側の端部及び内側に引き寄せられた非存在部分）を円弧に近い形状に形成することで、使い捨ておむつの幅方向の中心と着用者の体の中心（或いは吸収性パッドの幅方向の中心）との位置合わせが容易となる。また、背側の端部に弾性部材がなく剛性の小さい柔らかい領域が広く形成されることで、着用者の肌に当接しても肌触りがよい。
【００２０】
かかる吸収性物品であって、
前記第１固定部は、前記長手方向の最も内側の糸状弾性部材と最も外側の糸状弾性部材とに挟まれている領域全体にわたって設けられていることが望ましい。
【００２１】
このような吸収性物品によれば、固定部を、長手方向の最も内側の糸状弾性部材と最も外側の糸状弾性部材とに挟まれている領域全体に渡って設けることにより、自然状態において、起立部に作用する長手方向の収縮力が当該領域全体に作用する。よって、背側の端部近傍は、よりはっきりとした円弧に近い形状（Ｒ状）に形成される。従って、使い捨ておむつの幅方向の中心と着用者の体の中心（或いは吸収性パッドの幅方向の中心）との位置合わせがより容易となる。
【００２２】
かかる吸収性物品であって、
前記背側端部には、前記長手方向の最も外側の糸状弾性部材よりも外側に位置し、前記糸状弾性部材の収縮に伴って収縮する領域であって、隣り合う前記糸状弾性部材間の間隔よりも前記長手方向に長い収縮領域が形成されていることが望ましい。
【００２３】
このような吸収性物品によれば、起立部に作用する長手方向の収縮力に基づいて複数の糸状弾性部材が内側に引き寄せられた場合、このような収縮領域は糸状弾性部材に対して扇状に広がる。よって、背側の端部近傍は、よりはっきりとした円弧に近い形状（Ｒ状）に形成される。従って、使い捨ておむつの幅方向の中心と着用者の体の中心（或いは吸収性パッドの幅方向の中心）との位置合わせがより容易となる。
【００２４】
かかる吸収性物品であって、
前記収縮領域の前記長手方向長さは、前記最も外側の糸状弾性部材と前記最も内側の糸状弾性部材とに挟まれる領域の前記長手方向の長さの半分よりも長いことが望ましい。
【００２５】
このような吸収性物品によれば、収縮領域をより長く形成することにより、背側の端部近傍は、更にはっきりとした円弧に近い形状（Ｒ状）に形成される。
【００２６】
かかる吸収性物品であって、
前記本体部の背側には、前記本体部から前記幅方向外側に延出する背側サイドフラップが形成されており、前記背側サイドフラップの前記幅方向両側には一対のファスニングテープが設けられており、一対の前記ファスニングテープは、前記吸収性物品の着用時において前記腹側部と係合する係合部をそれぞれ有し、
前記係合部の前記幅方向の所定の位置における前記長手方向中央の位置を中央位置とした場合に、一対の前記係合部の前記中央位置同士を前記幅方向に沿って結ぶ中央線が、前記吸収性物品の前記幅方向の中央部において前記非存在部分を通過することが望ましい。
【００２７】
このような吸収性物品によれば、後部側にポケットを有するおむつにおいて、ポケットが形成される部分に均等な引っ張り力を作用させることにより、ポケットをきれいに形成することができるようになる。
【００２８】
かかる吸収性物品であって、前記第１固定部の前記長手方向の内側端部は、前記中央線が通過する位置よりも前記長手方向において外側に存在することが望ましい。
【００２９】
このような吸収性物品によれば、中央線に沿って作用する幅方向外側向きの引っ張り力が剛性の高い固定部によって邪魔されることなく、非存在部分全体に作用しやすくなる。これにより、非存在部分に皺が発生する等の問題が生じることをより抑制しやすくなる。
【００３０】
かかる吸収性物品であって、前記係合部の前記幅方向の所定の位置における前記長手方向外側端の位置を外端位置とした場合に、一対の前記係合部の前記外端位置同士を前記幅方向に沿って結ぶ直線が、前記本体部において前記胴回り弾性部材が配置されている部分を通過することが望ましい。
【００３１】
このような吸収性物品によれば、ファスニングテープを幅方向外側に引っ張ったときに胴回り弾性部材にも引っ張り力が作用しやすくなり、胴回り弾性部材が弛むことなく幅方向外側に伸長される。これにより、長手方向において胴回り弾性部材と隣接して形成される非存在部分も弛むことなく幅方向に伸長させやすくなる。
【００３２】
かかる吸収性物品であって、前記係合部の前記幅方向の所定の位置における前記長手方向内側端の位置を内端位置とした場合に、一対の前記係合部の前記内端位置同士を前記幅方向に沿って結ぶ直線が、前記本体部において前記吸収性コアが配置されている部分を通過することが望ましい。
【００３３】
このような吸収性物品によれば、ファスニングテープを幅方向外側に引っ張ったときに吸収性コアにも引っ張り力が作用しやすくなり、吸収性コアが弛むことなく幅方向外側に伸長される。これにより、長手方向において吸収性コアと隣接して形成される非存在部分も弛むことなく幅方向に伸長させやすくなる。
【００３４】
かかる吸収性物品であって、一対の前記ファスニングテープは、前記長手方向の複数箇所にそれぞれ前記係合部を有し、前記中央線は、前記長手方向に設けられた複数の前記係合部のうち、前記長手方向において前記胴回り弾性部材が配置されている位置に最も近い位置の前記係合部について定められる前記中央位置を通過することが望ましい。
【００３５】
このような吸収性物品によれば、ターゲットテープに対して複数対の係合部を係合させることが可能となり、おむつの装着時において胴回り部のフィット性を高めるとともに、各係合部に作用する力を分散させることができる。これにより、おむつの装着時において意図せず係合部が剥がれてしまうようなことを抑制しつつ、おむつ装着時の形態を保ちやすくすることができる。
【００３６】
かかる吸収性物品であって、前記背側サイドフラップと前記ファスニングテープとが異なる部材で構成されており、前記ファスニングテープは、前記背側サイドフラップの前記幅方向外側端部に接合されていることが望ましい。
【００３７】
このような吸収性物品によれば、接合部において、背側サイドフラップを構成する２シート部材とファスニングテープとが厚さ方向に重複して存在することとなり、当該接合部の強度を高くすることができる。これにより、ファスニングテープを左右に強く引っ張った場合でも接合部が破れたり剥がれたりすることが抑制される。
【００３８】
かかる吸収性物品であって、前記吸収性物品を前記長手方向に折り畳む際の基点となる折り目を前記幅方向に沿って複数有し、
複数の前記折り目が形成される領域のひとつは、前記非存在部分を通過することが望ましい。
【００３９】
このような吸収性物品によれば、複数の折り目のうち少なくとも一つの折り目は、剛性の低い非存在部分の領域を通過するように形成されるため、当該非存在部分に折り癖がつきやすくなる。これにより、おむつ１を長手方向に折り畳むことが容易になる。さらに、おむつ１を装着状態にした際に、ポケット状の空間ＳＰを形成しやすくなる。
【００４０】
＝＝＝実施形態＝＝＝
＜使い捨ておむつの構成＞
図１は、実施形態に係る吸収性物品としての大人用の使い捨ておむつ１の展開状態（後述）の概略平面図である。また、図２Ａ、図２Ｂ、及び図２Ｃは、それぞれ、図１中のＡ−Ａ断面図、Ｂ−Ｂ断面図、及びＣ−Ｃ断面図である。なお、図２Ａ乃至図２Ｃでは、紙面の都合上、幅方向の片側のみを示している。また、図３は、装着状態の使い捨ておむつ１の概略斜視図であり、図４は、使い捨ておむつ１の背側部１ｂを拡大して示す概略平面図である。図５は、第１立体ギャザー４１ｇ１の収縮力に基づいて本体部１ｋにポケット状の空間ＳＰが形成される様子を示す概略断面図である（詳細は後述）。
【００４１】
「展開状態」とは、図１に示すように、ターゲットテープ６５への各ファスニングテープ６１の係止を解いて、腹側部１ａと股下部１ｍと背側部１ｂとが長手方向に並んだ状態にするとともに、第１立体ギャザー用弾性部材４５１（第１弾性部材に相当する）に基づく第１起立部４１ｓ１の収縮、第２立体ギャザー用弾性部材４５２（第２弾性部材に相当する）に基づく第２起立部４１ｓ２の収縮、胴回り弾性部材７１に基づく背側の端部１ｋｂｅＬの収縮、及び脚回り弾性部材８１に基づくレックフラップ１ｍｆの収縮がそれぞれ無くなるまで、長手方向と幅方向との両方向に使い捨ておむつ１を伸ばした状態のことである。
【００４２】
使い捨ておむつ１は、着用者に装着される展開型のおむつである。使い捨ておむつ１は、互いに直交する三方向として長手方向と幅方向と厚さ方向とを有している。使い捨ておむつ１は、腹側部１ａと股下部１ｍと背側部１ｂとをこの順番で長手方向に並んで有している。図３の装着状態では、腹側部１ａは着用者の腹側を覆い、股下部１ｍは、着用者の股間を覆い、背側部１ｂは着用者の背側を覆う。
【００４３】
図１の展開状態においては、腹側部１ａと背側部１ｂとは、それぞれ股下部１ｍよりも幅方向の両側に飛び出している。すなわち、厚さ方向から見た使い捨ておむつ１の外形形状は平面視略砂時計形状をなしている。腹側部１ａにおいて幅方向の両側に飛び出した各部分のことを「腹側サイドフラップ１ａｓｆ」といい、背側部１ｂにおいて幅方向の両側に飛び出した各部分のことを「背側サイドフラップ１ｂｓｆ」という。また、以下では、厚さ方向の一方側のことを「肌側」といい、他方側のことを「非肌側」という。図１は、使い捨ておむつ１を肌側から見たものである。
【００４４】
使い捨ておむつ１は、図１、図２Ｂ及び図２Ｃに示すように、シート状の本体部１ｋを有する。本実施形態に係る本体部１ｋは、尿等の排泄液を吸収する吸収性コア１１と、吸収性コア１１を厚さ方向の肌側から覆うトップシート２１（表面シートに相当する）と、吸収性コア１１を非肌側から覆う防漏シート３０と、吸収性コア１１を防漏シート３０よりも非肌側から覆い、使い捨ておむつ１の外装をなす外装シート３１（裏面シートに相当する）と、を有する。
【００４５】
更に、本体部１ｋに対して、第２立体ギャザー４１ｇ２を形成するための立体ギャザーシート４７、ファスニングテープ６１、ターゲットテープ６５、胴回り弾性部材７１、及び脚回り弾性部材８１などが設けられて、使い捨ておむつ１が完成されている。
【００４６】
なお、本体部１ｋの長手方向、幅方向、及び厚さ方向は、それぞれ、使い捨ておむつ１の長手方向、幅方向、及び厚さ方向と同じ方向を向いている。そのため、以下の説明では、これらの方向については、使い捨ておむつ１と本体部１ｋとで特に区別せずに使用する。
【００４７】
以下、図面を参照しながら、使い捨ておむつ１の各構成の詳細について説明する。
【００４８】
吸収性コア１１は、本体部１ｋにおいて背側の端部１ｋｂｅＬよりも長手方向の内側の部分に存在している（図１）。吸収性コア１１は、パルプ繊維等の液体吸収性繊維や高吸収性ポリマー（ＳＡＰ）等の液体吸収性粒状物を、所定形状の一例としての平面視略砂時計形状に成形したものである。吸収性コア１１は、厚さ方向の肌側及び非肌側の両側からそれぞれ液透過性のコアラップシート１２によって被覆されている（図２Ｂ）。コアラップシート１２に好適な材料は、ティッシュペーパーや不織布等を例示できる。但し、コアラップシート１２は必須の構成ではない。
【００４９】
トップシート２１は、吸収性コア１１を肌側から覆う柔軟且つ液透過性の矩形シートである（図１、図２Ｂ及び図２Ｃ）。本実施形態では吸収性コア１１の肌側面がコアラップシート１２で被覆されているため、トップシート２１は、コアラップシート１２を肌側から覆いつつコアラップシート１２に対してホットメルト接着剤等で固定されている。また、吸収性コア１１の肌側面の概ね全域を覆うべく、トップシート２１は、幅方向については吸収性コア１１と概ね同じ大きさを有し、長手方向については吸収性コア１１の両側から飛び出す大きさを有している。本実施形態では、トップシート２１は長手方向について使い捨ておむつ１の全長に亘って設けられている（図１）。トップシート２１に好適な材料は、エアスルー不織布を例示できるが、液透過性と柔軟性とを有していればこれに限られない。なお、本実施形態に係るトップシート２１は、第１立体ギャザー４１ｇ１を構成する（詳細は後述）。
【００５０】
防漏シート３０は、吸収性コア１１を非肌側から覆う柔軟且つ液不透過性の矩形シートである（図１、図２Ｂ及び図２Ｃ）。本実施形態における防漏シート３０は、コアラップシート１２を非肌側から覆いつつ、コアラップシート１２に対してホットメルト接着剤等で固定されている。また、防漏シート３０は、吸収性コア１１の非肌側面の概ね全域を覆うべく、吸収性コア１１から幅方向の両側及び長手方向の両側に飛び出すような平面寸法を有する。本実施形態では、防漏シート３０は、長手方向について使い捨ておむつ１の全長に亘って設けられている（図１）。そして、防漏シート３０のうちで吸収性コア１１及びコアラップシート１２から長手方向又は幅方向に飛び出す部分は、トップシート２１又は立体ギャザーシート４７に対してホットメルト接着剤等で固定されている。防漏シート３０に好適な材料は、ポリエチレンフィルムを例示できるが、液不透過性と柔軟性とを有していればこれに限らない。
【００５１】
外装シート３１は、使い捨ておむつ１の外装をなすシートである（図１、図２Ｂ及び図２Ｃ）。外装シート３１は、防漏シート３０の非肌側面を覆いながら、同面にホットメルト接着剤等で固定されている。本実施形態における外装シート３１は、使い捨ておむつ１の外形形状をなしている。そのため、外装シート３１の平面形状は略砂時計形状となっている（図１）。そして、外装シート３１は防漏シート３０から幅方向の両側に飛び出している。飛び出した部分は、立体ギャザーシート４７に対してホットメルト接着剤等で固定されている。外装シート３１に好適な材料は、ＳＭＳ（スパンボンドーメルトブローン−スパンボンド）不織布を例示できるが、柔軟性を有していればこれに限らない。なお、外装シート３１を液不透過性のシートで形成した場合には、防漏シート３０を省略できる。
【００５２】
吸収性コア１１の幅方向の端部１１ｅｗそれぞれに対しては、二つの立体ギャザーが設けられている（図１、図２Ｂ及び図２Ｃ）。吸収性コア１１の幅方向の端部１１ｅｗそれぞれに設けられた二つの立体ギャザーのうちで、幅方向の内側に位置する立体ギャザーのことを「第１立体ギャザー４１ｇ１」といい、第１立体ギャザー４１ｇ１よりも幅方向の外側に位置する立体ギャザーのことを「第２立体ギャザー４１ｇ２」という。
【００５３】
図２Ｂに示すように、第１立体ギャザー４１ｇ１は、トップシート２１の幅方向の端部２１ｅｗが、幅方向の内側へ折り返されることによって形成されている。すなわち、端部２１ｅｗ（折り返された部分）が、第１起立部４１ｓ１となっている。第１起立部４１ｓ１は、折り返しに係る折り線Ｌを支点として厚さ方向の肌側に起立可能となっている。また、折り返しに係る折り線Ｌの部分が、起立不能な第１基端部４１ｋ１となっている。第１基端部４１ｋ１と第１起立部４１ｓ１とは幅方向に並んで設けられている。第１起立部４１ｓ１のうちの幅方向の先端部４１ｓｅｗ１（端部２１ｅｗ）には、長手方向に沿った第１立体ギャザー用弾性部材４５１として、例えば９４０ＤＴＥＸの１本の糸ゴムが長手方向に自然長の２倍の伸長状態でホットメルト接着剤等により固定されている。この糸ゴムにより、第１起立部４１ｓ１には長手方向に収縮力が付与される。かかる収縮力に基づいて第１起立部４１ｓ１が長手方向に収縮することによって、第１起立部４１ｓ１が複数の襞を形成しながら厚さ方向の肌側に起立して、第１立体ギャザー４１ｇ１として機能する（図２Ｂ）。本実施形態において、第１立体ギャザー用弾性部材４５１は、腹側の端部１ｋａｅＬ及び背側の端部１ｋｂｅＬよりも長手方向の内側に設けられている。
【００５４】
第１立体ギャザー用弾性部材４５１の収縮力の大きさは、例えば次のように設定される。先ず、第１立体ギャザー用弾性部材４５１を設ける前（襞が無い状態）の第１起立部４１ｓ１の長手方向の全長寸法のことを、１００％の基準長さと定義する。そして、第１立体ギャザー用弾性部材４５１が設けられて長手方向に収縮した第１起立部４１ｓ１を長手方向に９３％まで伸長した際に、第１立体ギャザー用弾性部材４５１に０．５Ｎ〜２Ｎの収縮力が生じるように、第１起立部４１ｓ１へ固定する際の第１立体ギャザー用弾性部材４５１の伸長状態が決定される。例えば、この例では、９４０ＤＴＥＸの１本の糸ゴムを用いている。そのため、当該１本の糸ゴムの長手方向の伸長状態を自然長の２倍に設定して第１起立部４１ｓ１に固定することにより、９３％伸長時の糸ゴムの収縮力の大きさを０．５Ｎ〜２Ｎに収めている。
【００５５】
また、図１、図２Ａ、及び図２Ｃに示すように、第１起立部４１ｓ１の長手方向の各端部４１ｓ１ｅＬａ，４１ｓ１ｅＬｂには、当該各端部４１ｓ１ｅＬａ，４１ｓ１ｅＬｂをトップシート２１（本体部１ｋ）に重ねた状態で固定する第１固定部４２ａ１，４２ｂ１が、それぞれ長手方向に沿った帯状に形成されている。すなわち、端部４１ｓ１ｅＬａ，４１ｓ１ｅＬｂにおいて第１固定部４２ａ１，４２ｂ１に対応する部分と、トップシート２１のうちで上記の折り線Ｌよりも幅方向の内側の部分との間には、第１固定部４２ａ１，４２ｂ１としてホットメルト接着剤等が長手方向に沿った帯状に設けられており、当該接着剤によって、端部４１ｓ１ｅＬａ，４１ｓ１ｅＬｂはそれぞれトップシート２１の部分に重ねられた状態で固定されている。
【００５６】
また、図４等に示すように、背側部１ｂに位置する第１固定部４２ｂ１における長手方向の最も内側の部分たる最内側部分４２ｂ１ｐは、本体部１ｋにおいて胴回り弾性部材７１及び吸収性コア１１が存在しない非存在部分１ｋｂｎ（図４においてドット模様で示す）に位置している。非存在部分１ｋｂｎは、背側の端部１ｋｂｅＬ（長手方向の最も内側に位置する胴回り弾性部材７１）と吸収性コア１１との間の領域であり、他の領域よりも剛性が低くなっている。背側の端部１ｋｂｅＬは、本体部１ｋにおいて長手方向の最も内側に位置する胴回り弾性部材７１の位置を起端として、そこから長手方向の外側に位置する領域である。背側の端部１ｋｂｅＬの長手方向の寸法は、図４のような使い捨ておむつ１の展開状態において例えば２０ｍｍ〜４０ｍｍの範囲から選択される。
【００５７】
第１固定部４２ｂ１の最内側部分４２ｂ１ｐには、第１起立部４１ｓ１に係る第１立体ギャザー用弾性部材４５１の収縮力が長手方向の内側を向いた引っ張り力Ｆの形態で入力される。よって、図５に示すように、最内側部分４２ｂ１ｐを介して本体部１ｋは長手方向の内側に引っ張られる。従って、背側の端部１ｋｂｅＬの立ち上がりを抑制しつつ、本体部１ｋは、非存在部分１ｋｂｎにおいて断面視略Ｚ字形状に屈曲し、背側の端部１ｋｂｅＬと吸収性コア１１との間の位置にポケット状の空間ＳＰを形成することができる。なお、「背側の端部１ｋｂｅＬの立ち上がり」とは、背側の端部１ｋｂｅＬが本体部１ｋに対して起き上がる状態をいう。たとえば、図５において、背側の端部１ｋｂｅＬが本体部１ｋに対して紙面右側に起き上がる状態をいう。
【００５８】
ここで、図４に示すように、本実施形態に係る最内側部分４２ｂ１ｐは、非存在部分１ｋｂｎにおける長手方向の中央位置Ｃ１ｋｂｎＬよりも内側に位置している。よって、長手方向の内側を向いた引っ張り力Ｆを、背側の端部１ｋｂｅＬから更に離れた位置に入力することができるため、背側の端部１ｋｂｅＬの立ち上がりをより抑制することができ、装着時に背側端部１ｋｂｅＬが内側に折れ曲がりにくく、面形状を維持できるので着用者の背中にフィットさせることができる。
【００５９】
また、図４において、第１固定部４２ｂ１は、第１起立部４１ｓ１における幅方向の中央位置Ｃ４１ｓｗよりも幅方向の内側の位置に形成されている。これにより、第１起立部４１ｓ１と背側の端部１ｋｂｅＬとが重なる領域４１ｓｅＬｂにおいて、第１起立部４１ｓ１を確実に固定できる。但し、第１固定部４２ｂ１を中央位置Ｃ４１ｓｗよりも幅方向の外側に形成しても良い。
【００６０】
更に、本実施形態では、幅方向における第１固定部４２ｂ１と第１基端部４１ｋ１との間の位置に、２つの補助固定部４３ｂを幅方向に並んで設けている（図４）。補助固定部４３ｂは、第１固定部４２ｂ１による固定を補助する。補助固定部４３ｂは、第１固定部４２ｂ１と第１基端部４１ｋ１との間の位置で生じ得る第１起立部４１ｓ１と背側の端部１ｋｂｅＬ（トップシート２１）との間の隙間を潰すように作用するため、領域４１ｓｅＬｂからの尿漏れを有効に防ぐことができる。但し、補助固定部４３ｂは必須構成ではない。
【００６１】
補助固定部４３ｂは、ホットメルト接着剤等で形成されている。すなわち、ホットメルト接着剤等が第１起立部４１ｓ１と背側の端部１ｋｂｅＬ（トップシート２１）との間に長手方向に沿った帯状に介挿されている。これにより、第１起立部４１ｓ１と背側の端部１ｋｂｅＬ（トップシート２１）は、幅方向における第１固定部４２ｂ１と第１基端部４１ｋ１との間の位置においても固定されている。
【００６２】
なお、本実施形態における補助固定部４３ｂの幅方向の寸法は、第１固定部４２ｂ１の幅方向の寸法より小さくされているとともに、補助固定部４３ｂのうちで長手方向の最も内側の部分たる最内側部分４３ｂｐの長手方向の位置は、第１固定部４２ｂ１の最内側部分４２ｂ１ｐの位置とほぼ同じであるが、これに限らない。すなわち、補助固定部４３ｂの幅方向の寸法を、第１固定部４２ｂ１より大きくしても良い。また、補助固定部４３ｂの最内側部分４３ｂｐの長手方向の位置を、第１固定部４２ｂ１の最内側部分４２ｂ１ｐの長手方向の位置よりも外側或いは内側にしても良い。但し、何れの場合についても、補助固定部４３ｂの最内側部分４３ｂｐを非存在部分１ｋｂｎに位置させていることが望ましい。このように構成することにより、収縮力に基づく長手方向の内側を向いた引っ張り力Ｆを、効率よく非存在部分１ｋｂｎに入力できることから、背側の端部１ｋｂｅＬの立ち上がりを抑制することができる。
【００６３】
一方、第２立体ギャザー４１ｇ２は、図１及び図２Ｂに示すように、トップシート２１とは別部材の立体ギャザーシート４７で形成されている。立体ギャザーシート４７は、第１立体ギャザー４１ｇ１に係る第１基端部４１ｋ１を幅方向に跨ぐように配されつつ、第１基端部４１ｋ１を厚さ方向の肌側から覆って設けられている。立体ギャザーシート４７は、第１基端部４１ｋ１或いはその近傍においてトップシート２１にホットメルト接着剤等で固定されており、その固定された部分が、起立不能な第２基端部４１ｋ２となっている。また、立体ギャザーシート４７のうちで第２基端部４１ｋ２よりも幅方向の外側に折り返される部分が、第２基端部４１ｋ２を支点として起立可能な第２起立部４１ｓ２となっている。第２起立部４１ｓ２のうちの幅方向の先端部には、長手方向に沿った第２立体ギャザー用弾性部材４５２として、例えば９４０ＤＴＥＸの１本の糸ゴムが長手方向に自然長の２倍の伸長状態でホットメルト接着剤等により固定されている。そのため、第２起立部４１ｓ２には長手方向に収縮力が付与されており、かかる収縮力に基づいて第２起立部４１ｓ２が長手方向に収縮することによって、第２起立部４１ｓ２が複数の襞を形成しながら厚さ方向の肌側に起立して、第２立体ギャザー４１ｇ２として機能する（図２Ｂ）。本実施形態において、第２立体ギャザー用弾性部材４５２は、腹側の端部１ｋａｅＬ及び背側の端部１ｋｂｅＬよりも長手方向の内側に設けられている。立体ギャザーシート４７に好適な材料は、適宜な不織布を例示できて、ここではＳＭＳ不織布が使用されているが、柔軟性を有していれば、これに限らない。
【００６４】
また、立体ギャザーシート４７は、図１、図２Ａ乃至図２Ｃに示すように、幅方向の外側の方へ外装シート３１の外端縁３１ｅｗとほぼ同位置まで延在しており、外端縁３１ｅｗ或いはその近傍で外装シート３１とホットメルト接着剤等で接着されている。これにより、立体ギャザーシート４７と外装シート３１とが互いに共同して、腹側部１ａでは腹側サイドフラップ１ａｓｆが形成され、背側部１ｂでは背側サイドフラップ１ｂｓｆが形成される。一方、股下部１ｍでも、同様に、上記の外端縁３１ｅｗ或いはその近傍で立体ギャザーシート４７と外装シート３１とがホットメルト接着剤等で接着一体化されている。これにより、外端縁３１ｅｗから幅方向の内側の所定範囲に亘ってレッグフラップ１ｍｆが形成される。
【００６５】
レッグフラップ１ｍｆは、装着状態において脚回り開口部ＨＬとなる部分（着用者の脚回りを覆う部分）である。レッグフラップ１ｍｆを長手方向に収縮させてレッグギャザーを形成すべく、レッグフラップ１ｍｆには、脚回り弾性部材８１として長手方向に沿った複数の糸ゴムが長手方向に伸長状態でホットメルト接着剤等により固定されている。脚回り弾性部材８１の伸長状態が緩和されると、レッグフラップ１ｍｆは長手方向に収縮して複数の襞が形成されて当該襞がレッグギャザーとして機能する。
【００６６】
なお、図２Ｂに示すように、第２起立部４１ｓ２は、第１起立部４１ｓ１とは異なり、第２基端部４１ｋ２或いはその近傍を折り返し位置として幅方向の外側に折り返された外開きの状態となっている。この外開きの状態に固定すべく、第２起立部４１ｓ２における長手方向の各端部４１ｓ２ｅＬａ，４１ｓ２ｅＬｂには、当該端部を本体部１ｋに重ねた状態で固定する第２固定部４２ａ２，４２ｂ２が、長手方向に沿った帯状に形成されている（図１、図２Ａ、及び図２Ｃ）。第２固定部４２ａ２，４２ｂ２はホットメルト接着剤等で形成されている。
【００６７】
具体的には、図２Ａ及び図２Ｃに示すように、幅方向の外側に折り返された第２起立部４１ｓ２は、立体ギャザーシート４７において第２基端部４１ｋ２よりも幅方向の外側の部分４７ｐに対向するが、かかる外側の部分４７ｐは、本体部１ｋにホットメルト接着剤等で固定されていて、本体部１ｋの一部になっている。そして、このような立体ギャザーシート４７の部分４７ｐに、第２起立部４１ｓ２が幅方向の外側に折り返された状態で重ねられている。かかる重ねられた状態の第２起立部４１ｓ２と、立体ギャザーシート４７の部分４７ｐとの間に、第２固定部４２ａ２，４２ｂ２としてのホットメルト接着剤等が介挿されている。これにより、第２起立部４１ｓ２及び部分４７ｐは、長手方向の各端部４１ｓ２ｅＬａ，４１ｓ２ｅＬｂにおいてホットメルト接着剤等により固定されている。
【００６８】
ここで、図４に示すように、背側部１ｂに位置する第２固定部４２ｂ２についても、その長手方向の最も内側の部分たる最内側部分４２ｂ２ｐが、非存在部分１ｋｂｎ（図４においてドット模様で示す）に位置していることが望ましい。
【００６９】
この場合、最内側部分４２ｂｐ２には、第２起立部４１ｓ２に係る第２立体ギャザー用弾性部材４５２の収縮力が長手方向の内側を向いた引っ張り力Ｆ２の形態で入力される。そのため、背側の端部１ｋｂｅＬの立ち上がりを抑制しながら、背側の端部１ｋｂｅＬと吸収性コア１１との間の位置へのポケット状の空間ＳＰ（図５）の形成に寄与することができる。なお、第２立体ギャザー用弾性部材４５２の収縮力の大きさは、たとえば、第１立体ギャザー用弾性部材４５１と同様の方法で設定される。
【００７０】
なお、図４では、第２固定部４２ｂ２の最内側部分４２ｂ２ｐは、第１固定部４２ｂ１の最内側部分４２ｂ１ｐよりも長手方向の内側且つ幅方向の外側に位置している。
【００７１】
よって、最内側部分４２ｂ２ｐ及び最内側部分４２ｂ１ｐは、それぞれ、長手方向の外側に膨出した略円弧形状の曲線上に乗ることができる。最内側部分４２ｂ２ｐ及び最内側部分４２ｂ１ｐは、それぞれの位置で本体部１ｋを断面視略Ｚ字形状に屈曲することにより、ポケット状の空間ＳＰの形状を平面視で略円弧形に作り込むことができる。そして、その結果、一般に略円弧形でなる臀部へのフィット性を良好にして、尿便漏れをより効果的に防止可能となる。
【００７２】
なお、略円弧形に作り込む観点に立てば、第２立体ギャザー用弾性部材４５２から第２起立部４１ｓ２に付与される収縮力の大きさが、第１立体ギャザー用弾性部材４５１から第１起立部４１ｓ１に付与される収縮力の大きさよりも大きくなっていることが望ましい。すなわち、第２起立部４１ｓ２の９３％伸長時において第２立体ギャザー用弾性部材４５２に生じる収縮力の大きさの方が、第１起立部４１ｓ１の９３％伸長時において第１立体ギャザー用弾性部材４５１に生じる収縮力の大きさよりも大きくなっていると良い。
【００７３】
この場合、最内側部分４２ｂ２ｐには、最内側部分４２ｂ１ｐに入力される長手方向の内側を向いた引っ張り力Ｆよりも大きな引っ張り力Ｆ２が入力される。これにより、最内側部分４２ｂ２ｐは、最内側部分４２ｂ１ｐよりも長手方向の内側へと大きく引っ張られて移動する。また、最内側部分４２ｂ２ｐは、最内側部分４２ｂ１ｐよりも幅方向の外側且つ長手方向の内側に位置している。そのため、引っ張り力Ｆ，Ｆ２の大小関係（Ｆ＜Ｆ２）によれば、空間ＳＰにおける幅方向の中央部分がより長手方向の外側に突出したような略円弧形状になるように促すこととなって、その結果、当該大小関係は、空間ＳＰを臀部の形状に沿わせることに有効に寄与する。
【００７４】
ファスニングテープ６１は、図１及び図２Ａに示すように、一対の背側サイドフラップ１ｂｓｆにおける幅方向の外端部にそれぞれ設けられている。ファスニングテープ６１は、柔軟な略矩形シートをテープ基材６１ａとし、テープ基材６１ａの幅方向の一端部が背側サイドフラップ１ｂｓｆの外端部に固定され、他端部が背側サイドフラップ１ｂｓｆの外端部よりも幅方向の外側に突出している。他端部では、長手方向の２カ所の部分で更に幅方向の外側に突出していて、当該２カ所の突出部６１ａｐの肌側面には、それぞれ面ファスナーのオス材６１ｍが一つずつ固定されている。また、オス材６１ｍの肌側面には、複数の係止用突起（不図示）が設けられている。オス材６１ｍの係止用突起が腹側部１ａのターゲットテープ６５の非肌側面に引っ掛かることにより、ターゲットテープ６５にファスニングテープ６１が係止される。オス材６１ｍには、面ファスナーとして周知なもの（係止用突起が釣り針状のものやＴ字状のもの等）を適宜使用することができる。また、テープ基材６１ａに好適な材料は、不織布等の柔軟なシート材を例示できるが、これに限らない。
【００７５】
ターゲットテープ６５は、図１及び図２Ｃに示すように、腹側部１ａの非肌側面たる外装シート３１の非肌側面に設けられている。ターゲットテープ６５は、幅方向に長い略矩形状であり、外装シート３１との間で互いの幅方向の中央位置を合わせつつホットメルト接着剤等によって外装シート３１に固定されている。ターゲットテープ６５に好適な材料は、メス材を配置したフィルムやエアスルー不織布等を例示できるが、これに限らない。また、ターゲットテープを用いなくても、外装シート自体に不織布など係止用突起がひっかかりやすいものを用いてもよい。
【００７６】
ターゲットテープ６５に各ファスニングテープ６１を係止することによって、図３に示すように、胴回り開口部ＨＢと一対の脚回り開口部ＨＬ，ＨＬとが形成されて、使い捨ておむつ１は着用者に装着される。
【００７７】
胴回り弾性部材７１は、図４に示すように、背側部１ｂにおける胴回り開口部ＨＢを幅方向に伸縮可能にすべく、背側の端部１ｋｂｅＬに対して、幅方向の収縮力を付与する部材である。背側の端部１ｋｂｅＬに設けられる胴回り弾性部材７１の幅方向の寸法は、展開状態において例えば１８０ｍｍ〜２２０ｍｍから選択される。
【００７８】
背側の端部１ｋｂｅＬには、胴回り弾性部材７１として幅方向に沿う複数の糸状弾性部材が長手方向に並んで設けられている。本実施形態では、糸状弾性部材の例として、５本の９４０ＤＴＥＸの糸ゴム７１ａ〜７１ｅが、それぞれ幅方向に沿って延在して配されている。各糸ゴムは、幅方向に例えば自然長の２倍の伸長状態で、トップシート２１と防漏シート３０との間に介挿されつつ、少なくとも一方のシート（トップシート２１または防漏シート３０）にホットメルト接着剤等で固定されている。よって、伸長状態が緩和されて自然状態にされれば、背側の端部１ｋｂｅＬは幅方向に収縮して、複数の襞が形成された状態となる。そして、これにより、かかる襞が伸びきるまでは、各糸ゴムは速やかに幅方向に伸長することができ、胴回り開口部ＨＢは幅方向に伸縮可能とされている。ただし、糸状弾性部材のそれぞれの端部は、自然状態で少なくとも一方のシート（トップシート２１または防漏シート３０）にホットメルト接着剤等で固定されている。そのため、胴回り弾性部材７１は、幅方向に伸縮可能な領域（伸縮領域７２（図６）に相当）を有するとともに、その端部には伸縮しない領域も有することになる。
【００７９】
胴回り弾性部材７１の収縮力は、例えば次のように設定される。先ず、胴回り弾性部材７１を設ける前（襞が無い状態）の背側の端部１ｋｂｅＬの幅方向の全長寸法のことを、１００％の基準長さと定義とする。そして、胴回り弾性部材７１が設けられて幅方向に収縮した背側の端部１ｋｂｅＬを幅方向に９３％まで伸長した際に、胴回り弾性部材７１に合計２Ｎ〜８Ｎの収縮力が生じるように、背側の端部１ｋｂｅＬへ固定する際の胴回り弾性部材７１の伸長状態が決定される。例えば、本実施形態では、５本の糸ゴム７１ａ〜７１ｅの長手方向の伸長状態を自然長の２倍に設定して背側の端部１ｋｂｅＬに固定することにより、９３％伸長時の５本の糸ゴム７１ａ〜７１ｅの収縮力の大きさの合計値を２Ｎ〜８Ｎに収めている。
【００８０】
なお、図４に示すように、吸収性コア１１における長手方向の背側の端縁部１１ｅｂの形状は、幅方向の中央側の部分１１ｅｂｃの方が幅方向の端側の部分１１ｅｂｅよりも長手方向の外側（背側）へ突出した湾曲形状となっている（すなわち、端縁部１１ｅｂは、円弧状に形成されている）。
【００８１】
このようになっていれば、厚さ方向の肌側から見た場合のポケット状の空間ＳＰの形状を、湾曲形状に作り込むことができる。すなわち、吸収性コア１１の剛性は一般に高いことから、長手方向の内側を向いた引っ張り力Ｆで非存在部分１ｋｂｎが引っ張られた際には、背側の端部１ｋｂｅＬ近傍（背側の端部１ｋｂｅＬ及び非存在部分１ｋｂｎ）は、吸収性コア１１の端縁部１１ｅｂと隣接する位置において端縁部１１ｅｂに沿って屈曲し易い。また、端縁部１１ｅｂの形状は湾曲形状であることから、背側の端部１ｋｂｅＬ近傍は、当該湾曲形状に沿って屈曲し、ポケット状の空間ＳＰを湾曲形状に作り込むことができる。一方、この湾曲形状は、一般に略円弧形でなる臀部の形状に沿っている形状でもある。そのため、当該ポケット状の空間ＳＰを臀部に沿わせることができ、臀部へのフィット性の良化を通して、尿便漏れをより有効に防止可能となる。
【００８２】
ちなみに、このように吸収性コア１１の長手方向の背側の端縁部１１ｅｂの形状が湾曲している場合には、端縁部１１ｅｂに隣接する非存在部分１ｋｂｎの長手方向の大きさは、幅方向の位置に応じて変化していることになるが、このような場合も含めて、非存在部分１ｋｂｎの長手方向の大きさは、次のような範囲に設定されていると良い。すなわち、長手方向の大きさが最も小さい位置Ｐ１ｋｂｎ１（図４では、幅方向の中央位置Ｐ１ｋｂｎ１）においては、例えば１０ｍｍ〜４０ｍｍの範囲の任意値とされ、長手方向の大きさが最も大きい位置Ｐ１ｋｂｎ２（図４は、吸収性コア１１における幅方向の端縁の位置Ｐ１ｋｂｎ２）においては、２０ｍｍ〜５０ｍｍの範囲の任意値とされると良い。このような範囲に設定されていれば、ポケット状の空間ＳＰの大きさを、背側へ流れる尿の堰き止めに適した大きさにすることができる。例えば、上記範囲より大きい場合には、ポケット状の空間ＳＰが潰れやすくなって堰として機能し難くなり、他方、上記範囲よりも小さい場合には、ポケット状の空間ＳＰの厚さ方向の高さが低くなって、この場合も堰として機能し難くなる。
【００８３】
＜自然状態における使い捨ておむつ＞
図６は、自然状態における本実施形態に係る使い捨ておむつ１の背側部１ｂを拡大して示す概略平面図（肌側から見た平面図）である。「自然状態」とは、使い捨ておむつを自然に広げた状態（外部から力を加えない状態）をいう。なお、自然状態においては皺が生じている部分（たとえば、背側の端部１ｋｂｅＬ）が存在するが、図６では皺の記載を省略する。
【００８４】
本実施形態において、第１固定部４２ｂ１と胴回り弾性部材７１の伸縮領域７２の一部とが重なる。ここで、伸縮領域７２は、胴回り弾性部材７１が伸縮可能な領域である。また、第１固定部４２ｂ１は吸収性コア１１よりも長手方向において外側（背側）に存在する。一方、第２固定部４２ｂ２は第１固定部４２ｂ１を挟んで胴回り弾性部材７１の伸縮領域７２とは幅方向に離間している。つまり、第２固定部４２ｂ２は、胴回り弾性部材７１の伸縮領域７２とは重ならない。
【００８５】
このように、胴回り弾性部材７１の伸縮領域７２と第１立体ギャザー４１ｇ１の第１固定部４２ｂ１が重なっていることで、胴回り弾性部材７１の伸縮領域７２における収縮力と第１立体ギャザー用弾性部材４５１による収縮力とが第１固定部４２ｂ１で連動し、胴回り弾性部材７１と第１立体ギャザー用弾性部材４５１とが連続的に収縮する。一方、第２固定部４２ｂ２は第１固定部４２ｂ１を挟んで胴回り弾性部材７１の伸縮領域７２とは幅方向に離間しているので、胴回り弾性部材７１の収縮力と第２立体ギャザー用弾性部材４５２の収縮力とは連動しない。
【００８６】
仮に、第２立体ギャザー４１ｇ２の第２固定部４２ｂ２が胴回り弾性部材７１の伸縮領域７２と重なっているとすれば、胴回り弾性部材７１の収縮力と第２立体ギャザー用弾性部材４５２による収縮力も連動してしまい、第２固定部４２ｂ２までもが収縮してしまう。そうすると、胴回り弾性部材７１の伸縮領域７２と第１固定部４２ｂ１のみならず、第２固定部４２ｂ２も幅方向に収縮する上、背側端部全体が長手方向内側に引っ張られることになるため、寝姿勢で製品を装着する際に背側端部に皺が形成されたり、背側サイドフラップ１ｂｓｆが幅方向内側に引っ張られて使用者の体の下に入りこんでしまい、装着性が低下してしまう。
【００８７】
これに対し、本実施形態においては前述のように、胴回り弾性部材７１の収縮力と第２立体ギャザー用弾性部材４５２の収縮力とは連動しない。よって、第２固定部４２ｂ２において幅方向の収縮が生じにくい領域を設けることができる。収縮しにくい領域は素材がほぼ延びており、この領域より幅方向に外側においては皺が形成されにくく、さらに、背側の中央域のみ第１立体ギャザー用弾性部材４５１の収縮力によって長手方向内側に沈み込む形となるため、左右両側の収縮しにくい領域を基準として、より幅方向の中央を見定めやすくすることができる。また、背側サイドフラップ１ｂｓｆが体の下に入り込みにくく、幅方向外側に引っ張りやすくなるため、使用者の体の下で形成された皺やたくれを伸ばして使い捨ておむつ１を装着することができるので、体へのフィット性も向上する。また、皺やたくれが伸びることで補助吸収としての吸収性パッドを併用する際にパッドを挿入しやすくなる。
【００８８】
また、第２固定部４２ｂ２は、吸収性コア１１よりも長手方向において外側に存在している。このように、第２固定部４２ｂ２が吸収性コア１１よりも長手方向において外側に存在することから、第２固定部４２ｂ２を長手方向の端部寄りに形成することができる。前述のように、第２固定部４２ｂ２においては、幅方向の収縮が生じにくい領域を設けることができるが、幅方向の収縮が生じにくい領域を長手方向の端部寄りに設けることにより、幅方向の中央を見定めやすくすることができる。
【００８９】
さらに、第１立体ギャザー４１ｇ１の収縮力により胴回り弾性部材７１が引っ張られる一方で、剛性ある胴回り弾性部材７１の伸縮領域７２は面形状を維持するため、縦断面がＺ形状になり非存在部分１ｋｂｎにポケット状の空間ＳＰが形成されるが、上記構成によりポケット状の空間ＳＰをさらに大きくすることができるので、背側の漏れを防止することができる。
【００９０】
また、吸収性コア１１における長手方向の端縁部１１ｅｂの形状は、前記幅方向の中央側の部分の方が幅方向の端側の部分よりも長手方向の外側へ突出した湾曲形状を有している。このように、吸収性コア１１における長手方向の端縁部１１ｅｂの形状が湾曲形状であるので、胴回り弾性部材７１の収縮力と第１立体ギャザー用弾性部材４５１の収縮力とが連動することで、胴回り弾性部材７１と第１起立部４１ｓ１は湾曲形状に沿って収縮することになる。よって、湾曲形状に沿って収縮した形状を基準として幅方向の中央部を見定めやすくなる。
【００９１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００９２】
第２固定部４２ｂ２の最内側部分４２ｂ２ｐについては、非存在部分１ｋｂｎに位置していなくても良い。例えば、最内側部分４２ｂ２ｐが、非存在部分１ｋｂｎよりも長手方向の内側に位置していても良い。図７の例では、最内側部分４２ｂ２ｐは、吸収性コア１１における背側の端縁部１１ｅｂに位置している。この場合であっても、最内側部分４２ｂ２ｐは非存在部分１ｋｂｎの近傍に位置していることから、ポケット状の空間ＳＰの形成に寄与できる。
【００９３】
図７に二点鎖線で示すように、胴回り弾性部材７１を厚さ方向の肌側及び非肌側の一方側又は両側から覆うように、不織布或いはフィルム等の柔軟なシート状部材７３を設けても良い。
【００９４】
図８に示すように、第１立体ギャザー用弾性部材４５１が非存在部分１ｋｂｎと背側の端部１ｋｂｅＬとに跨がって延在している場合には、第１立体ギャザー用弾性部材４５１のうちで背側の端部１ｋｂｅＬに位置する部分４５１ｐ１に長手方向の収縮力が生じないようにすることが望ましい。更に、第１立体ギャザー用弾性部材４５１のうちで非存在部分１ｋｂｎに位置する部分４５１ｐ２についても、同じく収縮力が生じないようにすることが望ましい。上記に加え、第１立体ギャザー用弾性部材４５１が、第１固定部４２ｂ１の最内側部分４２ｂ１ｐの位置を起点として長手方向の内側に収縮力が生じていない部分を有していることが望ましい。これらの構成それぞれによれば、背側の端部１ｋｂｅＬの立ち上がりをより有効に抑制できる。
【００９５】
更に、図９に示すように、コアラップシート１２が吸収性コア１１よりも長手方向の外側に飛び出している場合、第１固定部４２ｂ１の最内側部分４２ｂ１ｐは、非存在部分１ｋｂｎのうちでコアラップシート１２が存在しない部分に位置していることが望ましい。この場合、最内側部分４２ｂ１ｐは、コアラップシート１２が無い、すなわち曲げ剛性が更に低い部分に位置することになる。これにより、長手方向の内側を向いた引っ張り力Ｆの最内側部分４２ｂ１ｐへの入力に基づいて、より速やかに本体部１ｋは非存在部分１ｋｂｎにおいて断面視略Ｚ字形状に屈曲し、非存在部分１ｋｂｎにポケット状の空間ＳＰをより確実に形成することができる。
【００９６】
図１に示す本体部１ｋにおける腹側の端部１ｋａｅＬに胴回り弾性部材７１を設ける場合には、本体部１ｋにおける腹側の端部１ｋａｅＬに形成される第１固定部４２ａ１に対して実施形態（第１固定部４２ｂ１）と同様の工夫を施しても良い。
【００９７】
第１立体ギャザー用弾性部材４５１（第２立体ギャザー用弾性部材４５２）としては、糸ゴムに代えて、平ゴムや帯状の弾性フィルム、伸縮性を有した不織布等を用いても良い。或いは、第１起立部４１ｓ１（第２起立部４１ｓ２）となる部分自体に、長手方向に沿った伸縮性を発現させるシート材を用いた場合には、第１立体ギャザー用弾性部材４５１（第２立体ギャザー用弾性部材４５２）を省略できる。
【００９８】
また、実施形態では、トップシート２１の幅方向の各端部２１ｅｗ，２１ｅｗを用いて第１立体ギャザー４１ｇ１（第１起立部４１ｓ１）を形成していたが、第１立体ギャザー４１ｇ１の構成はこれに限らない。例えば、第２立体ギャザー４１ｇ２の第２起立部４１ｓ２と同様に、専用の立体ギャザーシートによって第１立体ギャザー４１ｇ１の第１起立部４１ｓ１を形成しても良い（公知の構成であるため詳細な説明は省略する）。
【００９９】
使い捨ておむつ１は、尿取りパッドなどの別の吸収性パッド（不図示）と組み合わせて使用できる。尿取りパッドは、使い捨ておむつ１のトップシート２１の肌側面に載置して使用する。その際には、ポケット状の空間ＳＰに尿取りパッドの長手方向の端部を差し込んで保持すると良い。このようにすれば、尿取りパッドをトップシート２１の肌側に載置する際に位置決めをし易くなる。また、尿取りパッドの端部が、ポケット状の空間ＳＰに差し込まれているので、着用者の身体の下に使い捨ておむつ１を敷き込む際に、トップシート２１の肌側に載置された尿取りパッドの端部が着用者の肌に当たらない。よって、当該端部が起こし得る着用者の肌トラブルも有効に防ぐことができる。更に、実施形態のような使い捨ておむつ１を用いる場合、円弧に近い形状に形成された背側の端部近傍を目印として、使い捨ておむつの幅方向の中心と吸収性パッドの幅方向の中心との位置合わせが容易となる。
【０１００】
また、図６から明らかなように、次のような態様でもよい。前記胴回り弾性部材は、前記幅方向に沿う複数の糸状弾性部材を含み、前記第１固定部のうち前記長手方向の最も内側にある固定端は前記非存在部分に位置し、前記第１固定部の少なくとも一部は、前記複数の糸状弾性部材のうち、前記長手方向の最も内側の糸状弾性部材と最も外側の糸状弾性部材とに挟まれている領域に設けられていることを特徴とする吸収性物品であってもよい。
【０１０１】
また、前記第１固定部は、前記長手方向の最も内側の糸状弾性部材と最も外側の糸状弾性部材とに挟まれている領域全体にわたって設けられていることを特徴とする吸収性物品であってもよい。
【０１０２】
また、前記背側端部には、前記長手方向の最も外側の糸状弾性部材よりも外側に位置し、前記糸状弾性部材の収縮に伴って収縮する領域であって、隣り合う前記糸状弾性部材間の間隔よりも前記長手方向に長い収縮領域が形成されていることを特徴とする吸収性物品であってもよい。
【０１０３】
また、前記収縮領域の前記長手方向長さは、前記最も外側の糸状弾性部材と前記最も内側の糸状弾性部材とに挟まれる領域の前記長手方向の長さの半分よりも長いことを特徴とする吸収性物品であってもよい。
【０１０４】
図１０は、ファスニングテープ６１のオス材６１ｍ（係合部）と、非存在部分１ｋｂｎとの位置関係について説明する図である。図１１は、使い捨ておむつ１の展開状体の概略平面図である。図１２は、３つ折りに折り畳んだ状態のおむつ１の長手方向断面図である。図１０〜図１２から明らかなように、次のような態様でもよい。前記本体部の背側には、前記本体部から前記幅方向外側に延出する背側サイドフラップが形成されており、前記背側サイドフラップの前記幅方向両側には一対のファスニングテープが設けられており、一対の前記ファスニングテープは、前記吸収性物品の着用時において前記腹側部と係合する係合部をそれぞれ有し、前記係合部の前記幅方向の所定の位置における前記長手方向中央の位置を中央位置とした場合に、一対の前記係合部の前記中央位置同士を前記幅方向に沿って結ぶ中央線が、前記吸収性物品の前記幅方向の中央部において前記非存在部分を通過することを特徴とする吸収性物品であってもよい。
【０１０５】
また、前記第１固定部の前記長手方向の内側端部は、前記中央線が通過する位置よりも前記長手方向において外側に存在することを特徴とする吸収性物品であってもよい。
【０１０６】
また、前記係合部の前記幅方向の所定の位置における前記長手方向外側端の位置を外端位置とした場合に、一対の前記係合部の前記外端位置同士を前記幅方向に沿って結ぶ直線が、前記本体部において前記胴回り弾性部材が配置されている部分を通過することを特徴とする吸収性物品であってもよい。
【０１０７】
また、前記係合部の前記幅方向の所定の位置における前記長手方向内側端の位置を内端位置とした場合に、一対の前記係合部の前記内端位置同士を前記幅方向に沿って結ぶ直線が、前記本体部において前記吸収性コアが配置されている部分を通過することを特徴とする吸収性物品であってもよい。
【０１０８】
また、一対の前記ファスニングテープは、前記長手方向の複数箇所にそれぞれ前記係合部を有し、前記中央線は、前記長手方向に設けられた複数の前記係合部のうち、前記長手方向において前記胴回り弾性部材が配置されている位置に最も近い位置の前記係合部について定められる前記中央位置を通過することを特徴とする吸収性物品であってもよい。
【０１０９】
また、前記背側サイドフラップと前記ファスニングテープとが異なる部材で構成されており、前記ファスニングテープは、前記背側サイドフラップの前記幅方向外側端部に接合されていることを特徴とする吸収性物品であってもよい。
【０１１０】
また、前記吸収性物品を前記長手方向に折り畳む際の基点となる折り目を前記幅方向に沿って複数有し、複数の前記折り目が形成される領域は、前記本体部のうち前記長手方向においてその他の領域よりも剛性が低くなっていることを特徴とする吸収性物品であってもよい。
【０１１１】
また、図１１に示すように、吸収性コア１１にスリット等の低目付の領域を設けてもよい。
【０１１２】
この例において、吸収性コア１１の幅方向の中央領域には、スリットＳ１ａ〜Ｓ１ｃが形成されている。スリットＳ１ａは、腹側部１ａに形成されている。スリットＳ１ｂは、股下部１ｍに形成されている。スリットＳ１ｃは、背側部１ｂに形成されている。中央領域の幅方向の外側には、スリットＳ２ａ〜Ｓ２ｃ及びスリットＳ３ａ〜Ｓ３ｃが形成されている。スリットＳ２ａ及びスリットＳ３ａは、腹側部１ａにおいてスリットＳ１ａを挟むように形成されている。スリットＳ２ｂ及びスリットＳ３ｂは、股下部１ｍにおいてスリットＳ１ｂを挟むように形成されている。スリットＳ２ｃ及びスリットＳ３ｃは、背側部１ｂにおいてスリットＳ１ｃを挟むように形成されている。各スリットは、吸収性コア１１のそれ以外の領域よりも低目付となっている。すなわち、少なくとも吸収性コア１１の幅方向の中央領域は、吸収性コア１１のそれ以外の領域よりも低目付に形成されている。
【０１１３】
このように、吸収性コア１１の幅方向の中央領域（中央領域の一部）をスリット状に低目付に形成することにより、低目付の部分に皺が入り易くなり、また、コアの存在域と非存在域に色差が生じるため、当該領域をおむつ１（吸収性パッド）の着用時の目印とすることができる。また、中央領域のほぼ延長線上に円弧状に形成された背側の端部１ｋｂｅＬの頂点が位置することになるため、背側の端部１ｋｂｅＬの幅方向の中心も分かりやすい。よって、おむつ１の幅方向の中心と着用者の体の中心（或いは吸収性パッドの幅方向の中心）との位置合わせがより容易となる。また、パッドを装着する場合、吸収性パッドを体に合わせた後に外側から使い捨ておむつを装着すると、スリットを基点として吸収体が長手方向に折れ曲がりやすくなり、特に中央のスリット部分で吸収体が山折りになるため、吸収性パッドをしっかりと体に押し当てることができる。さらに、吸収性コア１１は幅方向側部に向かうに従って中央域よりも目付を大きくすることで、吸収性パッドの位置がずれにくく、製造過程においても吸収性コアの割れなどを防止できる。
【０１１４】
また、使用前のおむつ１は長手方向に３つ折りの状態とされている。図１１に示されるように、おむつ１には第１折り目Ｆ１〜第３折り目Ｆ３の３つの折り目が設けられている。第１折り目Ｆ１は幅方向に沿って非存在部分１ｋｂｎの領域を通るよう形成されている。第２折り目Ｆ２は幅方向に沿って長手方向のスリットＳ１ｃとスリットＳ１ｂとの間の領域を通るように形成されている。第３折り目Ｆ３は幅方向に沿って長手方向のスリットＳ１ｂとスリットＳ１ａとの間の領域を通るように形成されている。第１折り目Ｆ１が形成される非存在部分１ｋｂｎは上述したように剛性が低い。また、第２折り目Ｆ２及び第３折り目Ｆ３はスリットＳ１ａ〜Ｓ１ｃがない平滑な領域に形成されているため、長手方向に折り曲げる際の抵抗が小さい。したがって、これらの折り目を基点とすることで、おむつ１を長手方向に折り畳むことが容易になる。
【０１１５】
おむつ１を３つ折りにする際には、まず展開状態のおむつ１について、第１折り目Ｆ１を基点として背側の端部１ｋｂｅＬを厚さ方向の非肌側に折り畳む。次に、第２折り目Ｆ２を基点として本体部１ｋの背側部１ｂの部分が股下部１ｍの部分と厚さ方向の肌側面同士で対向するように折り畳む。次に、第３折り目Ｆ３を基点として本体部１ｋの背側部１ｂの非肌面側に本体部１ｋの腹側部１ａの肌面側の一部が重なるように折り畳む。このようにすることで、図１２に示されるようなコンパクトな状態におむつ１を折り畳むことができる。また、複数の折り目のうち第１折り目Ｆ１が非存在部分１ｋｂｎの領域を通過するように形成されるため、剛性の低い非存在部分に折り癖がつきやすくなる。これにより、おむつ１を装着状態にした際に、ポケット状の空間ＳＰを形成しやすくなる。
【０１１６】
その他、以下のような態様が可能である。
（態様１）
長手方向と幅方向と厚さ方向とを有する本体部が、液体を吸収する吸収性コアと、前記吸収性コアを前記厚さ方向の肌側から覆うトップシートと、前記吸収性コアを前記厚さ方向の非肌側から覆うバックシートとを、有する吸収性物品であって、
前記本体部における前記長手方向の端部は、胴回り開口部を構成するとともに、前記端部に対して前記幅方向の収縮力を付与すべく前記端部には前記幅方向に沿って胴回り弾性部材が設けられており、
前記本体部において前記端部よりも前記長手方向の内側の部分には、前記吸収性コアが存在しているとともに、前記本体部において前記端部と前記吸収性コアとの間の部分は、前記胴回り弾性部材及び前記吸収性コアの両者が存在しない非存在部分とされており、
前記幅方向の所定位置には、シート状の立体ギャザーが前記長手方向に沿って設けられており、
前記立体ギャザーは、起立不能な基端部と、前記基端部を支点として前記厚さ方向の肌側に起立可能な起立部とを前記幅方向に並んで有し、前記起立部に作用する前記長手方向の収縮力に基づいて前記起立部が前記長手方向に収縮することによって、前記起立部が前記厚さ方向の肌側に起立し、
前記起立部のうちの前記長手方向の端部には、当該端部を前記本体部に伏せた状態に固定する固定部が形成されているとともに、当該固定部のうちで前記長手方向の最も内側の部分は、前記非存在部分に位置していることを特徴とする吸収性物品。
（態様２）
前記起立部の前記収縮力は、前記長手方向に沿って前記起立部に設けられた弾性部材から付与されており、
前記固定部は、前記非存在部分と前記本体部の前記端部とに跨がって延在し、
前記弾性部材のうちで前記本体部の前記端部に位置する部分では、前記長手方向の収縮力が生じていないことを特徴とする吸収性物品。
（態様３）
前記弾性部材のうちで前記非存在部分に位置する部分では、前記長手方向の収縮力が生じていないことを特徴とする吸収性物品。
【符号の説明】
【０１１７】
１  使い捨ておむつ（吸収性物品）、
１ｋ  本体部、
１ｋｂｅＬ  背側の端部、
１ｋｂｎ  非存在部分、
１１  吸収性コア、
１２  コアラップシート、
２１  トップシート（表面シート）、
３０  防漏シート、
３１  外装シート（裏面シート）、
４１ｇ１  第１立体ギャザー、４１ｇ２  第２立体ギャザー、
４１ｋ１  第１基端部、４１ｋ２  第２基端部、
４１ｓ１  第１起立部、４１ｓ２  第２起立部、
４２ｂ１  第１固定部、４２ｂ１ｐ  最内側部分、
４２ｂ２  第２固定部、４２ｂ２ｐ  最内側部分、
４３ｂ  補助固定部、４３ｂｐ  最内側部分、
４７  立体ギャザーシート、
６１  ファスニングテープ、
６５  ターゲットテープ、
７１  胴回り弾性部材、７２  伸縮領域、
ＳＰ  ポケット状の空間、
Ｆ  引っ張り力、Ｆ２  引っ張り力、
【要約】
【課題】吸収性物品の幅方向の中央をより見定めやすくすること。
【解決手段】長手方向と幅方向と厚さ方向とを有し、前記長手方向に関して腹側部と股下部と背側部とを並んで有する本体部が、液透過性の表面シートと、液不透過性の裏面シートと、吸収性コアを有する吸収性物品であって、前記本体部における前記長手方向の端部は、胴回り開口部を構成するとともに、前記端部には前記幅方向に沿って胴回り弾性部材が設けられており、前記本体部における前記長手方向の背側端部よりも内側の部分には、前記吸収性コアが存在しているとともに、前記本体部において前記胴回り弾性部材と前記吸収性コアとの間の部分は、前記胴回り弾性部材及び前記吸収性コアが存在しない非存在部分とされており、前記本体部には幅方向に離間した一対の第１立体ギャザーが前記長手方向に沿って設けられており、前記第１立体ギャザーよりも幅方向外側に一対の第２立体ギャザーが前記長手方向に沿って設けられており、前記第１立体ギャザーは、第１弾性部材を前記長手方向に配置し、起立不能な第１基端部と、前記第１基端部を支点として前記厚さ方向の肌側に起立可能な第１起立部とを前記幅方向に並んで有し、前記第２立体ギャザーは、第２弾性部材を前記長手方向に配置し、起立不能な第２基端部と、前記第２基端部を支点として前記厚さ方向の肌側に起立可能な第２起立部とを前記幅方向に並んで有し、前記第１起立部のうちの前記背側端部には、前記第１立体ギャザーを前記本体部に重ねた状態で固定する第１固定部が形成されており、前記第２起立部のうちの前記背側端部には、前記第２立体ギャザーを前記本体部に重ねた状態で固定する第２固定部が形成されており、前記第１固定部と前記胴回り弾性部材の伸縮領域とが重なり、前記第１固定部は前記吸収性コアよりも前記長手方向において外側に存在し、前記第２固定部は前記第１固定部を挟んで前記胴回り弾性部材の伸縮領域とは前記幅方向に離間している。
【選択図】図１【図１】
0005651800.tif 000002
【図２】
0005651800.tif 000003
【図３】
0005651800.tif 000004
【図４】
0005651800.tif 000005
【図５】
0005651800.tif 000006
【図６】
0005651800.tif 000007
【図７】
0005651800.tif 000008
【図８】
0005651800.tif 000009
【図９】
0005651800.tif 000010
【図１０】
0005651800.tif 000011
【図１１】
0005651800.tif 000012
【図１２】
0005651800.tif 000013